(57)【特許請求の範囲】
【請求項１】
ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データにおける上記複数のディジタル映像信号のうちの一つのラインブランキング期間内におけるタイミング基準コードデータを形成するワードデータに対応する部分を、予め選定されたコードを有するワード同期データをもって置き換えることにより、該ワード同期データが挿入された第２のワード列データを形成し、該第２のワード列データに８ビット／１０ビット変換処理を施すとともに、該８ビット／１０ビット変換処理により順次得られる１０ビットワードデータに基づく、８ビット／１０ビット変換後のワード同期データを含んだ複合ワード列データを形成し、該複合ワード列データをシリアルデータに変換して、該シリアルデータを伝送すべく送出するデータ伝送方法。
【請求項２】
上記ワード同期データを含んだ第２のワード列データに８ビット／１０ビット変換処理を施す際に、上記８ビット／１０ビット変換後のワード同期データの直前においてランニング・ディスパリティを負に設定することを特徴とする請求項１記載のデータ伝送方法。
【請求項３】
上記ワード同期データを含んだ第２のワード列データに８ビット／１０ビット変換処理を施す際に、上記８ビット／１０ビット変換後のワード同期データの直前においてランニング・ディスパリティを正に設定することを特徴とする請求項１記載のデータ伝送方法。
【請求項４】
上記第１のワード列データにおける、上記ワード同期データにより置き換えられる上記ワードデータに対応する部分に先立つ、上記タイミング基準コードデータを形成する他のワードデータに対応する部分を、予め選定されたコードを有する補助ワードデータをもって置き換えることにより、上記第２のワード列データを上記ワード同期データに加えて上記補助ワードデータが挿入されたものとして形成することを特徴とする請求項１記載のデータ伝送方法。
【請求項５】
上記補助ワードデータを、該補助ワードデータの直前となるワードデータの８ビット／１０ビット変換後におけるランニング・ディスパリティが正である場合と負である場合とで異なるコードを有するものとなすことを特徴とする請求項４記載のデータ伝送方法。
【請求項６】
上記ワード同期データを、８ビット／１０ビット変換後に複合ワード列データ中においてランニング・ディスパリティを正とするものとなすことを特徴とする請求項１記載のデータ伝送方法。
【請求項７】
上記ワード同期データを、８ビット／１０ビット変換後に複合ワード列データ中においてランニング・ディスパリティを負とするものとなすことを特徴とする請求項１記載のデータ伝送方法。
【請求項８】
上記複数のディジタル映像信号の夫々を、１０ビットワード列データのデータ形式をとる信号となすことを特徴とする請求項１記載のデータ伝送方法。
【請求項９】
上記複数のディジタル映像信号とビット付加信号との組合せを、３チャンネルの１０ビットワード列データのデータ形式をとるディジタル映像信号と２ビット付加データとで形成することを特徴とする請求項１記載のデータ伝送方法。
【請求項１０】
上記第１のワード列データ及び上記第２のワード列データの夫々を１６ビットワード列データとするとともに、上記ワード同期データを８ビットワードとし、上記複合ワード列データを２０ビットワード列データとすることを特徴とする請求項１記載のデータ伝送方法。
【請求項１１】
ビット同期はとられているが水平同期及び垂直同期がとられていない複数のディジタル映像信号もしくは該複数のディジタル映像信号とビット付加信号との組合せに、多重化処理を施して第１のワード列データを得るデータ多重手段と、
該データ多重手段から得られる第１のワード列データにおける上記複数のディジタル映像信号のうちの一つのラインブランキング期間内におけるタイミング基準コードデータを形成するワードデータに対応する部分を、予め選定されたコードを有するワード同期データをもって置き換えることにより、該ワード同期データが挿入された第２のワード列データを形成するデータ挿入手段と、
該データ挿入手段から得られる第２のワード列データに８ビット／１０ビット変換処理を施すとともに、該８ビット／１０ビット変換処理により順次得られる１０ビットワードデータに基づく、８ビット／１０ビット変換後のワード同期データを含んだ複合ワード列データを形成する複合ワード列データ形成手段と、
該複合ワード列データ形成手段から得られる複合ワード列データをシリアルデータに変換して、該シリアルデータを伝送すべく送出するデータ送出手段と、
を備えて構成されるデータ伝送装置。
【請求項１２】
上記データ挿入手段が、上記第１のワード列データにおける、上記ワード同期データにより置き換えられる上記ワードデータに対応する部分に先立つ、上記タイミング基準コードデータを形成する他のワードデータに対応する部分を、予め選定されたコードを有する補助ワードデータをもって置き換えることにより、上記第２のワード列データを上記ワード同期データに加えて上記補助ワードデータが挿入されたものとして形成することを特徴とする請求項１１記載のデータ伝送装置。
【請求項１３】
ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データにおける上記複数のディジタル映像信号のうちの一つのラインブランキング期間内におけるタイミング基準コードデータを形成するワードデータに対応する部分を、予め選定されたコードを有するワード同期データをもって置き換えることにより、該ワード同期データが挿入された第２のワード列データを形成し、該第２のワード列データに８ビット／１０ビット変換処理を施すとともに、該８ビット／１０ビット変換処理により順次得られる１０ビットワードデータに基づく、８ビット／１０ビット変換後のワード同期データを含んだ複合ワード列データを形成し、該複合ワード列データをシリアルデータに変換して、該シリアルデータを伝送すべく送出するデータ伝送方法に従って送出される上記シリアルデータを受信し、該シリアルデータにおける上記８ビット／１０ビット変換後のワード同期データがシリアルデータに変換された部分を同期データとして検出し、検出された同期データに基づくワード同期をとったもとで、上記シリアルデータを上記複合ワード列データに変換し、該複合ワード列データに１０ビット／８ビット変換処理を施して、該１０ビット／８ビット変換処理により順次得られる８ビットワードデータに基づく上記第２のワード列データを得、該第２のワード列データに含まれる上記ワード同期データを所定のワードデータをもって置き換える処理を行い、上記第１のワード列データを得て、該第１のワード列データから互いに分離された上記複数のディジタル映像信号もしくは上記複数のディジタル映像信号と上記ビット付加信号とを再生するデータ受信方法。
【請求項１４】
ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データにおける上記複数のディジタル映像信号のうちの一つのラインブランキング期間内におけるタイミング基準コードデータを形成するワードデータに対応する部分を、予め選定されたコードを有するワード同期データをもって置き換えることにより、該ワード同期データが挿入された第２のワード列データを形成し、該第２のワード列データに８ビット／１０ビット変換処理を施すとともに、該８ビット／１０ビット変換処理により順次得られる１０ビットワードデータに基づく、８ビット／１０ビット変換後のワード同期データを含んだ複合ワード列データを形成し、該複合ワード列データをシリアルデータに変換して、該シリアルデータを伝送すべく送出するデータ伝送方法に従って送出される上記シリアルデータを受信する受信手段と、
該受信手段から得られる上記シリアルデータにおける上記８ビット／１０ビット変換後のワード同期データがシリアルデータに変換された部分を同期データとして検出し、検出された同期データに基づくワード同期をとって、上記シリアルデータを上記複合ワード列データに変換するデータ変換処理手段と、
該データ変換処理手段において得られる上記複合ワード列データに含まれるワード同期データに基づくワード同期をとって、上記データ変換処理手段から得られる上記複合ワード列データに１０ビット／８ビット変換処理を施して、該１０ビット／８ビット変換処理により順次得られる８ビットワードデータに基づく上記第２のワード列データを得る１０ビット／８ビット変換・ワード列データ形成手段と、
上記データ変換処理手段において得られる上記複合ワード列データに含まれるワード同期データに基づくワード同期をとって、上記１０ビット／８ビット変換・ワード列データ形成手段から得られる上記第２のワード列データに含まれる上記ワード同期データを所定のワードデータをもって置き換える処理を行って、上記第１のワード列データを得るワードデータ処理手段と、
該ワードデータ処理手段から得られる上記第１のワード列データから互いに分離された上記複数のディジタル映像信号もしくは上記複数のディジタル映像信号と上記ビット付加信号とを再生するデータ分離手段と、
を備えて構成されるデータ受信装置。
【発明の詳細な説明】
【０００１】
【発明の属する技術分野】
本願の特許請求の範囲に記載された発明は、複数のディジタル映像信号もしくは複数のディジタル映像信号とビット付加信号との組合せに、多重化処理を施してワード列データを得、そのワード列データに、ワード同期データの挿入，８ビット／１０ビット変換等の処理を施し、さらに、シリアルデータに変換して伝送すべく送出するデータ伝送方法及びその実施に供されるデータ伝送装置、並びに、当該データ伝送方法に従って伝送されるデータを受信するデータ受信方法及びその実施に供されるデータ受信装置に関する。
【０００２】
【従来の技術】
画像情報等の各種の信号情報をあらわす情報データを含んだディジタルデータの伝送に関する分野においては、ディジタルデータをシリアルデータとし、そのシリアルデータに基づく電気信号を得て、それを同軸ケーブルあるいはツイステッドペアライン等が用いられて形成された伝送路を通じて伝送するシステム、あるいは、ディジタルデータをシリアルデータとし、そのシリアルデータを光信号に変換して、オプティカル・ファイバーが用いられて形成された伝送路を通じて伝送するシステム等が提案されている。
【０００３】
斯かるディジタルデータ伝送システムの一つとして、ファイバーチャンネル・システム（Fibre Channel System) と称されるものが知られている。このファイバーチャンネル・システムの如くのディジタルデータ伝送システムのもとで扱われるディジタルデータは、送信側において、例えば、８ビット毎に１０ビットへの変換が行われ、その変換が予め用意された変換テーブルに従うものとされる、８ビット／１０ビット変換（８Ｂ／１０Ｂ変換）処理が施されるとともに、１０もしくは２０ビットワード列データを形成するものとされる。そして、実際に伝送されるのは、８Ｂ／１０Ｂ変換が行われて形成される１０もしくは２０ビットワード列データに、さらにパラレルデータをシリアルデータに変換するパラレル／シリアル変換（Ｐ／Ｓ変換）処理が施されて得られるシリアルデータとされる。
【０００４】
これに対して、受信側においては、受信されたシリアルデータに、シリアルデータをパラレルデータに変換するシリアル／パラレル変換（Ｓ／Ｐ変換）処理が施されて、１０もしくは２０ビットワード列データが形成され、その１０もしくは２０ビットワード列データに、１０ビット毎に８ビットへの変換が行われ、その変換が予め用意された変換テーブルに従うものとされる、１０ビット／８ビット変換（１０Ｂ／８Ｂ変換）処理が施される。そして、１０Ｂ／８Ｂ変換が行われて形成されるワード列データから、元のディジタル映像信号が再生される。
【０００５】
このような伝送されるべきディジタルデータに８Ｂ／１０Ｂ変換が施されて行われるデータ伝送は、選択された内容を有する１０ビットワードが用いられることにより、良好な伝送品質をもたらすものとして認識されている。
【０００６】
また、ファイバーチャンネル・システムの如くのディジタルデータ伝送システムのもとで、例えば、１０ビットワード列データとして伝送されるディジタルデータは、その一例を挙げると、図１５に示される如くの、“フレーム”と称される最小の独立したパケットが形成されるデータフォーマットに従うものとされる。図１５に示される“フレーム”にあっては、全体が２１４８バイトで構成されており、その内容は、４バイト構成のフレームスタート部分，２４バイト構成のフレームヘッダ部分，６４バイト構成のオプショナルヘッダ部分，２０４８バイト構成のペイロード部分，４バイト構成のエラーチェック部分及び４バイト構成のフレームエンド部分が順次連なるものとなっている。
【０００７】
これらの“フレーム”を構成する各部分のうちの２０４８バイトのペイロード部分が、信号情報をあらわす１０ビットワード列データを格納する。即ち、１０ビットワード列データが伝送されるにあたっては、送信側において、ペイロード部分に最大で２０４８バイトの１０ビットワード列データを格納した“フレーム”が多数形成され、それらが順次送出され、受信側においては、順次到来する多数の“フレーム”の夫々におけるペイロード部分から、１０ビットワード列データを取り出す。
【０００８】
このような１０ビットワード列データにおける１０ビット構成のワードの夫々は、それを構成する１０ビットが、“１”の数が“０”の数より多いもの，“０”の数が“１”の数より多いもの、もしくは、“１”の数と“０”の数とが等しいものとなる。斯かる“１”及び“０”の夫々の数の状態をあらわすにあたって、例えば、ランニング・ディスパリティ（Running Disparity : ＲＤ）という考え方が導入されており、“１”の数が“０”の数より多いとき、ランニング・ディスパリティ（ＲＤ）が正であると言い、また、“０”の数が“１”の数より多いとき、ＲＤが負であると言い、さらに、“１”の数と“０”の数とが等しいとき、ＲＤがニュートラルであると言う。そして、“１”の数が“０”の数より多いワードデータはＲＤを正とするワードデータ，“０”の数が“１”の数より多いワードデータはＲＤを負とするワードデータ，“１”の数と“０”の数とが等しいワードデータはＲＤをニュートラルとするワードデータ（ニュートラル・ワードデータ）と称される。
【０００９】
また、前述の如くにして１０ビットワード列データが伝送されるに際しては、受信側において１０ビットワード列データについて行われる１０Ｂ／８Ｂ変換にあたり、１０ビット構成の各ワードデータを的確に把握することが要され、そのため、送信側において、シリアルデータとされて伝送される１０ビットワード列データが、ワード同期データの挿入が適宜なされたものとされる。このワード同期データは、１０ビット構成のワードデータではあるが、情報伝達を行う１０ビット構成のワードデータとしては用いられない特定のコードを有するものとされる。そして、ワード同期データは、挿入されるに際して、直前のワードデータがＲＤを負とするものであるとき、ＲＤを正とするものとされ、また、直前のワードデータがＲＤを正とするものであるとき、ＲＤを負とするものとされる。
【００１０】
このようなワード同期データは、例えば、Ｋ２８．５というコードネームで呼ばれる１０ビット構成のワードデータＤＳ１０とされる。図１６は、Ｋ２８．５というコードネームで呼ばれる１０ビット構成のワードデータＤＳ１０を示し、このワードデータＤＳ１０は、その直前に配されたワードデータによるＲＤであるＣＲＤが負（−）であるとき、ＲＤを正とする“００１１１１１０１０”とされ、また、直前に配されたワードデータによるＲＤであるＣＲＤが正（＋）であるとき、ＲＤを負とする“１１０００００１０１”とされる（以後、“００１１１１１０１０”を＋Ｋ２８．５と言い、また、“１１０００００１０１”を−Ｋ２８．５と言う）。
【００１１】
一方、映像信号の分野においては、その伝送に関連して伝達情報の多様化及び再生画像の高品質化を実現する観点等から、映像信号のディジタル伝送化が図られている。そして、映像信号のディジタル伝送化のための規格化されたディジタル映像信号が提案されており、例えば、４：２：２コンポーネントディジタル映像信号（Ｄ１信号），４ｆｓｃコンポジットディジタル映像信号（Ｄ２信号）等が知られている。これらＤ１信号，Ｄ２信号等は、例えば、映像信号における輝度信号成分をあらわす１０ビットワード列データとされたＹデータ系列と、映像信号における色差信号成分をあらわす１０ビットワード列データとされたＣB ／ＣR データ系列とに、ワード多重処理が施されるとともに、その結果得られるワード多重データ系列のうちの所定の部分が、タイミング基準コードデータ（ＳＡＶ：Start of Active Video 及びＥＡＶ：End of Active Video)により置換されて得られるものとされる。ＳＡＶ及びＥＡＶは、ワード同期データの役割を果たす。
【００１２】
例えば、Ｄ１信号を構成するデータ系列は、１０ビットワード列データの形式をとり、例えば、図１７に示される如くのデータフォーマットに従うものとされる。図１７には、Ｄ１信号における各ライン期間中のラインブランキング期間及びその前後における映像データ期間の一部に対応する部分が示されている。斯かる部分においては、各映像データ期間に対応する部分の直前に、各々が１０ビット構成とされる４ワード（３ＦＦ，０００，０００，ＸＹＺ）から成るタイミング基準コードデータであるＳＡＶが配されるとともに、各映像データ期間に対応する部分の直後に、各々が１０ビット構成とされる４ワード（３ＦＦ，０００，０００，ＸＹＺ）から成るタイミング基準コードデータであるＥＡＶが配される。３ＦＦ及び０００は１６進表示された固定値情報であり、ＸＹＺは１６進表示された可変値情報であって、フィールドの識別，フィールドブランキング期間の識別、及び、ＳＡＶ及びＥＡＶの識別を示す。
【００１３】
斯かる図１７に示される如くの１０ビットワード列データを形成するＤ１信号は、伝送されるに際しては、Ｐ／Ｓ変換処理によりシリアルデータに変換されて送出される。そして、受信側においては、受信されたシリアルデータ中のＳＡＶもしくはＥＡＶに基づく部分が検出され、それによりワード同期がとられるもとでＳ／Ｐ変換処理が施されて、Ｄ１信号が再生される。
【００１４】
また、画像情報をあらわすディジタルデータ、即ち、ディジタル画像情報データは、通常、データ量が膨大なものとなるので、例えば、その伝送，記録等が行われるにあたっては、データの品質を実質的に低下させることなくデータ量を低減させることができるデータ圧縮が施されたものとされることが望まれる。それゆえ、ディジタル画像情報データについて、そのデータ量を低減させるためのデータ圧縮技術の研究開発が種々行われてきているが、それらの成果の一つとして、画像情報、特に、動画情報をあらわすディジタルデータであるディジタル画像情報データについてのデータ圧縮に関して、それを実施する手法として、国際標準化団体のもとにおける技術委員会の傘下の作業部会であるＭＰＥＧ（Moving Picture Experts Group) によって検討され、規格として承認された、ＭＰＥＧと称される標準方式が提案されている。
【００１５】
このＭＰＥＧと称される標準方式にあっては、ディジタル画像情報データに高能率符号化によるデータ圧縮が施されることになるが、ディジタル画像情報データについてのＭＰＥＧに従った高能率符号化によるデータ圧縮が行われる場合には、極めて高い圧縮率のデータ圧縮を実現でき、しかも、データ圧縮が施されたディジタル画像情報データに基づいて再生される画像を高品質なものとすることができる利点が得られる。従って、ディジタル・ビデオカメラ，ディジタル・ビデオテープレコーダ等の業務用あるいは家庭用電子機器の分野において、ＭＰＥＧに従った高能率符号化によるデータ圧縮が施されたディジタル画像情報データ（ＭＰＥＧ画像情報データ）を取り扱うものが増加していく傾向にある。ＭＰＥＧ画像情報データは、一般に、８ビットワード列データを形成するものとされる。
【００１６】
このようなＭＰＥＧ画像情報データの如くの圧縮されたディジタル映像信号データ、さらには、それに音声データが加えられて成る圧縮されたディジタル映像及び音声信号データを、シリアルデータとして伝送路を通じて伝送するにあたって用いられるべく開発されたインターフェースとして、ＳＤＴＩ（Serial Data Transport Interface)と称されるものが提案されている。このＳＤＴＩは、米国のＳＭＰＴＥ（Society of Motion Picture and Television Engineers：映画テレビジョン技術者協会) により“ＳＭＰＴＥ  ３０５Ｍ”をもって規格化されている。
【００１７】
ＳＤＴＩのもとにおける信号フォーマット（ＳＤＴＩ信号フォーマット）にあっても、必要に応じて、各ライン期間中にタイミング基準コードデータが配される。そして、圧縮されたディジタル映像信号データもしくは映像及び音声信号データの伝送に用いられるＳＤＴＩ信号フォーマットに従って形成されたディジタル信号（ＳＤＴＩ信号）も、パラレルデータからシリアルデータに変換され、電気信号あるいは光信号とされる伝送信号の形で伝送される。
【００１８】
上述の如くのＤ１信号，Ｄ２信号，ＳＤＴＩ信号等のディジタル映像信号の伝送についても、送信側において、伝送されるべきディジタル映像信号に対するワード同期データの付加及び８Ｂ／１０Ｂ変換が行われて、伝送されるべきディジタル映像信号に基づく、ワード同期データを含むとともに８Ｂ／１０Ｂ変換処理が施されたものとされるワード列データが形成され、そのワード列データがシリアルデータに変換されて送出される伝送方式、をもって行われるようにされることが、例えば、送受信回路を構成するにあたって既存の集積回路（ＩＣ）素子等を有効に利用できる観点から望まれるところとなる。
【００１９】
【発明が解決しようとする課題】
上述の如くに、送信側において、伝送されるべきディジタル映像信号に基づいて、ワード同期データを含むとともに８Ｂ／１０Ｂ変換処理が施されたものとされるワード列データが形成され、そのワード列データがシリアルデータに変換されて送出される伝送方式をもっての、Ｄ１信号，Ｄ２信号，ＳＤＴＩ信号等のディジタル映像信号の伝送が望まれるもとにあって、一つのディジタル映像信号のみならず、複数のディジタル映像信号を多重して伝送でき、特に、複数のディジタル映像信号が、ビット同期はとられているが、水平同期（ライン同期）及び垂直同期（フレーム同期）はとられていない場合にも、それらを多重して伝送できることになれば、Ｄ１信号，Ｄ２信号，ＳＤＴＩ信号等のディジタル映像信号の効率的な利用が図られ、さらには、その利用範囲の拡大が図られることになる。そして、Ｄ１信号，Ｄ２信号，ＳＤＴＩ信号等のディジタル映像信号の効率的な利用あるいは利用範囲の拡大等は、例えば、業務用あるいは家庭用電子機器の分野における技術の更なる発展をもたらすことになる。
【００２０】
しかしながら、従来にあっては、送信側において、伝送されるべきデータに基づいて、ワード同期データを含むとともに８Ｂ／１０Ｂ変換処理が施されたものとされるワード列データが形成され、そのワード列データがシリアルデータに変換されて送出される伝送方式をもって、複数のＤ１信号，Ｄ２信号，ＳＤＴＩ信号等のディジタル映像信号を、それがビット同期はとられているが水平同期及び垂直同期はとられていない場合にあっても、比較的容易に整えることができる手段により、多重伝送することができる伝送システムを実現させた具体例は見当たらない。また、このようにして複数のＤ１信号，Ｄ２信号，ＳＤＴＩ信号等のディジタル映像信号を、それがビット同期はとられているが水平同期及び垂直同期はとられていない場合にあっても、比較的容易に整えることができる手段により、多重伝送することができる伝送システムに関する技術について記載された文献等も見出せない。
【００２１】
斯かる点に鑑み、本願の特許請求の範囲に記載された発明は、伝送されるべきデータに基づいて、ワード同期データを含むとともに８Ｂ／１０Ｂ変換処理が施されたものとされるワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、比較的容易に整えることができる手段により伝送することができる、データ伝送方法及びその実施に供されるデータ伝送装置、並びに、当該データ伝送方法に従って伝送されるデータを受信するデータ受信方法及びその実施に供されるデータ受信装置を提供する。
【００２２】
【課題を解決するための手段】
本願の特許請求の範囲における請求項１から請求項１０までのいずれかに記載された発明に係るデータ伝送方法は、ビット同期はとられているが水平同期及び垂直同期がとられていない複数のディジタル映像信号もしくはそれらとビット付加信号との組合せに、多重化処理を施して第１のワード列データを得、第１のワード列データにおける複数のディジタル映像信号のうちの一つのラインブランキング期間内におけるタイミング基準コードデータを形成するワードデータに対応する部分を、予め選定されたコードを有するワード同期データをもって置き換えることにより、ワード同期データが挿入された第２のワード列データを形成し、第２のワード列データに８Ｂ／１０Ｂ変換処理を施すとともに、８Ｂ／１０Ｂ変換処理により順次得られる１０ビットワードデータに基づく、８Ｂ／１０Ｂ変換後のワード同期データを含んだ複合ワード列データを形成し、複合ワード列データをシリアルデータに変換して、そのシリアルデータを伝送すべく送出するものとされる。
そして、本願の特許請求の範囲における請求項１３に記載された発明に係るデータ受信方法は、上述の本願の特許請求の範囲における請求項１から請求項１０までのいずれかに記載された発明に係るデータ伝送方法に従って送出されるシリアルデータを受信し、受信したシリアルデータから、ビット同期はとられているが水平同期及び垂直同期がとられていない複数のディジタル映像信号もしくはそれらとビット付加信号とを再生するものとされる。
【００２４】
さらに、特に、本願の特許請求の範囲における請求項４に記載された発明に係るデータ伝送方法は、第１のワード列データにおける、ワード同期データにより置き換えられるワードデータに対応する部分に先立つ、上述のタイミング基準コードデータを形成する他のワードデータに対応する部分を、予め選定されたコードを有する補助ワードデータをもって置き換えることにより、第２のワード列データをワード同期データに加えて補助ワードデータが挿入されたものとして形成するものとされる。
【００２５】
また、本願の特許請求の範囲における請求項１１及び請求項１２のいずれかに記載された発明に係るデータ伝送装置は、ビット同期はとられているが水平同期及び垂直同期がとられていない複数のディジタル映像信号もしくはそれらとビット付加信号との組合せに、多重化処理を施して第１のワード列データを得るデータ多重手段と、データ多重手段から得られる第１のワード列データにおける複数のディジタル映像信号のうちの一つのラインブランキング期間内におけるタイミング基準コードデータを形成するワードデータに対応する部分を、予め選定されたコードを有するワード同期データをもって置き換えることにより、ワード同期データが挿入された第２のワード列データを形成するデータ挿入手段と、データ挿入手段から得られる第２のワード列データに８Ｂ／１０Ｂ変換処理を施すとともに、８Ｂ／１０Ｂ変換処理により順次得られる１０ビットワードデータに基づく、８Ｂ／１０Ｂ変換後のワード同期データを含んだ複合ワード列データを形成する複合ワード列データ形成手段と、複合ワード列データ形成手段から得られる複合ワード列データをシリアルデータに変換して、そのシリアルデータを伝送すべく送出するデータ送出手段と、を備えて構成される。
そして、本願の特許請求の範囲における請求項１４に記載された発明に係るデータ受信装置は、上述の本願の特許請求の範囲における請求項１から請求項１０までのいずれかに記載された発明に係るデータ伝送方法に従って送出されるシリアルデータを受信し、受信したシリアルデータから、ビット同期はとられているが水平同期及び垂直同期がとられていない複数のディジタル映像信号もしくはそれらとビット付加信号とを再生するものとされる。
【００２７】
さらに、特に、本願の特許請求の範囲における請求項１２に記載された発明に係るデータ伝送装置は、データ挿入手段が、第１のワード列データにおける、ワード同期データにより置き換えられるワードデータに対応する部分に先立つ、上述のタイミング基準コードデータを形成する他のワードデータに対応する部分を、予め選定されたコードを有する補助ワードデータをもって置き換えることにより、第２のワード列データをワード同期データに加えて補助ワードデータが挿入されたものとして形成するものとされる。
【００２８】
上述の如くの本願の特許請求の範囲における請求項１から請求項１０までのいずれかに記載された発明に係るデータ伝送方法、及び、本願の特許請求の範囲における請求項１３に記載された発明に係るデータ受信方法によれば、送信側において、ビット同期はとられているが水平同期及び垂直同期はとられていない、各々が、例えば、Ｄ１信号，Ｄ２信号，ＳＤＴＩ信号等とされる複数のディジタル映像信号、もしくは、斯かる複数のディジタル映像信号とビット付加信号との組合せに基づき、ワード同期データ挿入処理及び８Ｂ／１０Ｂ変換処理を経て形成され、シリアルデータに変換されて送出される複合ワード列データには、それにおける複数のディジタル映像信号のうちの一つのラインブランキング期間内におけるタイミング基準コードデータを形成するワードデータに対応する部分に、８Ｂ／１０Ｂ変換後のワード同期データが挿入されていることになる。この８Ｂ／１０Ｂ変換後のワード同期データは、例えば、ＲＤを正とするワードデータＤＳ１０である＋Ｋ２８．５、もしくは、ＲＤを負とするワードデータＤＳ１０である−Ｋ２８．５とされる。
【００２９】
複合ワード列データの形成過程においては、第１のワード列データにおける複数のディジタル映像信号のうちの一つのラインブランキング期間内におけるタイミング基準コードデータを形成するワードデータに対応する部分が、予め選定されたコードを有したワード同期データをもって置き換えられて、第１のワード列データにワード同期データが挿入される。
【００３０】
そして、このような複合ワード列データが変換されたシリアルデータを受ける受信側において、シリアルデータに変換されて伝送された複合ワード列データ中の８Ｂ／１０Ｂ変換後のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれる各ワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１３に記載された発明に係るデータ受信方法にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【００３１】
特に、本願の特許請求の範囲における請求項１から請求項１０までのいずれかに記載された発明に係るデータ伝送方法によれば、８Ｂ／１０Ｂ変換後のワード同期データを含む複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタルデータの送信及び受信に用いられる伝送回路ディバイスを利用して行うことができる。従って、伝送されるべきデータに基づいて、ワード同期データを含むとともに８Ｂ／１０Ｂ変換処理が施されたものとされるワード列データが形成され、そのワード列データがシリアルデータに変換されて送出される伝送方式をもって、ビット同期はとられているが水平同期及び垂直同期はとられていない、各々が、例えば、複数のＤ１信号，Ｄ２信号，ＳＤＴＩ信号等とされる、複数のディジタル映像信号を、比較的容易に整えることができる手段により伝送することができることになる。
【００３２】
また、本願の特許請求の範囲における請求項１１及び請求項１２のいずれかに記載された発明に係るデータ伝送装置、及び、本願の特許請求の範囲における請求項１４に記載された発明に係るデータ受信装置によれば、送信側においては、データ送出手段によりシリアルデータに変換されて送出される、ビット同期はとられているが水平同期及び垂直同期はとられていない、各々が、例えば、複数のＤ１信号，Ｄ２信号，ＳＤＴＩ信号等とされる複数のディジタル映像信号、もしくは、斯かる複数のディジタル映像信号とビット付加信号との組合せに基づき、ワード同期データ挿入処理及び８Ｂ／１０Ｂ変換処理を経て形成される複合ワード列データには、ＲＤを予め定められた正もしくは負とする８Ｂ／１０Ｂ変換後のワード同期データが含まれていることになる。このような８Ｂ／１０Ｂ変換後のワード同期データは、例えば、ＲＤを正とするワードデータＤＳ１０である＋Ｋ２８．５、もしくは、ＲＤを負とするワードデータＤＳ１０である−Ｋ２８．５とされる。
【００３３】
ワード同期データ挿入処理を行うデータ挿入手段は、例えば、本願の特許請求の範囲における請求項１１に記載された発明に係るデータ伝送装置の場合のように、複合ワード列データの形成過程における第１のワード列データへのワード同期データの挿入を、第１のワード列データにおける複数のディジタル映像信号のうちの一つのラインブランキング期間内におけるタイミング基準コードデータを形成するワードデータに対応する部分を、ワード同期データをもって置き換えることにより行う。
【００３４】
そして、このような複合ワード列データが変換されたシリアルデータを受ける受信側において、シリアルデータに変換されて伝送された複合ワード列データ中の８Ｂ／１０Ｂ変換後のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれる各ワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１４に記載された発明に係るデータ受信装置にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【００３５】
特に、本願の特許請求の範囲における請求項１１及び請求項１２のいずれかに記載された発明に係るデータ伝送装置によれば、８Ｂ／１０Ｂ変換後のワード同期データを含んだ複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタルデータの送信及び受信に用いられる伝送回路ディバイスを利用して行うことができる。従って、伝送されるべきデータに基づいて、ワード同期データを含むとともに８Ｂ／１０Ｂ変換処理が施されたものとされるワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、比較的容易に整えることができる手段により伝送することができることになる。
【００３６】
【発明の実施の形態】
図１は、本願の特許請求の範囲における請求項１及び請求項４から請求項１０までのいずれかに記載された発明に係るデータ伝送方法の一例が実施される、本願の特許請求の範囲における請求項１１及び請求項１２のいずれかに記載された発明に係るデータ伝送装置の一例を示す。
【００３７】
図１に示される例にあっては、複数のディジタル映像信号である３チャンネルのＤ１信号ＤＶＰ１，ＤＶＰ２及びＤＶＰ３と、ビット付加信号である２ビット付加データＤＡＢ（２）が、データ多重部（データ多重手段）１１に供給される。３チャンネルのＤ１信号ＤＶＰ１〜ＤＶＰ３の夫々は、例えば、図１７に示される如くのデータ系列の態様をとる１０ビットワード列データを形成するディジタル信号であって、そのワード伝送レートを、例えば、２７ＭＢｐｓとするパラレルデータとされる。また、２ビット付加データＤＡＢ（２）は、２ビット構成のワードが連なる２ビットワード列データであって、そのワード伝送レートが、例えば、２７ＭＢｐｓに選定される。
【００３８】
３チャンネルのＤ１信号ＤＶＰ１〜ＤＶＰ３は、互いの間でビット同期はとられているが、水平同期及び垂直同期はとられていない状態でデータ多重部１１に供給され、また、２ビット付加データＤＡＢ（２）は、３チャンネルのＤ１信号ＤＶＰ１〜ＤＶＰ３の夫々とビット同期がとられた状態でデータ多重部１１に供給される。
【００３９】
データ多重部１１においては、３チャンネルのＤ１信号ＤＶＰ１〜ＤＶＰ３と２ビット付加データＤＡＢ（２）との組合せに多重化処理を施し、それにより、３チャンネルのＤ１信号ＤＶＰ１〜ＤＶＰ３と２ビット付加データＤＡＢ（２）との組合せに基づく１６ビットワード列データＤＵ（１６）を得る。斯かる際には、データ多重部１１に同時に供給される、３チャンネルのＤ１信号ＤＶＰ１〜ＤＶＰ３の夫々における各ワード（１０ビット）と２ビット付加データＤＡＢ（２）における各ワード（２ビット）との、合計１０×３＋２＝３２ビットが、順次１６ビットずつの２ワードに分割されることにより、ワード伝送レートを２７ＭＢｐｓ×３２／１６＝５４ＭＢｐｓとする１６ビットワード列データＤＵ（１６）が形成される。
【００４０】
この１６ビットワード列データＤＵ（１６）は、図２に示される如くに、例えば、Ｄ１信号ＤＶＰ１を基準にして、Ｄ１信号ＤＶＰ１の或るラインブランキング期間におけるタイミング基準コードデータＳＡＶの第１ワードを形成する１０ビットのうちの８ビットと、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットと、から成る１６ビットワード；  Ｄ１信号ＤＶＰ２の１０ビットワードのうちの残り４ビット及びＤ１信号ＤＶＰ３の１０ビットワードのうちの４ビットと、Ｄ１信号ＤＶＰ３の１０ビットワードのうちの残り６ビット及び２ビット付加データＤＡＢ（２）の２ビットワードを形成する２ビットと、から成る１６ビットワード；  Ｄ１信号ＤＶＰ１におけるタイミング基準コードデータＳＡＶの第２ワードを形成する１０ビットのうちの８ビットと、Ｄ１信号ＤＶＰ１のタイミング基準コードデータＳＡＶの第２ワードを形成する１０ビットのうちの残り２ビット及びＤ１信号ＤＶＰ２の１０ビットワードのうちの６ビットと、から成る１６ビットワード；  Ｄ１信号ＤＶＰ２の１０ビットワードのうちの残り４ビット及びＤ１信号ＤＶＰ３の１０ビットワードのうちの４ビットと、Ｄ１信号ＤＶＰ３の１０ビットワードのうちの残り６ビット及び２ビット付加データＤＡＢ（２）の２ビットワードを形成する２ビットと、から成る１６ビットワード；  Ｄ１信号ＤＶＰ１におけるタイミング基準コードデータＳＡＶの第３ワードを形成する１０ビットのうちの８ビットと、Ｄ１信号ＤＶＰ１のタイミング基準コードデータＳＡＶの第３ワードを形成する１０ビットのうちの残り２ビット及びＤ１信号ＤＶＰ２の１０ビットワードのうちの６ビットと、から成る１６ビットワード；  ・・・・・  が、順次連なるものとされる。図２において、ｔは経過時間をあらわす（以下において、同様）。
【００４１】
データ多重部１１から得られる、ワード伝送レートを５４ＭＢｐｓとする１６ビットワード列データＤＵ（１６）は、同期データ挿入部（データ挿入手段）１２に供給される。同期データ挿入部１２には、１６ビットワード列データＤＵ（１６）に加えて、ワードデータ送出部１３からの、予め選定されたコードを有した８ビットワードデータを形成する補助ワードデータＤＥＡ８，ワードデータ送出部１４からの、予め選定されたコードを有した８ビットワードデータを形成する補助ワードデータＤＥＢ８、及び、ワードデータ送出部１５からの、予め選定されたコードを有した８ビットワードデータを形成するワード同期データＤＥＫ８が供給され、また、Ｄ１信号ＤＶＰ１についての水平同期信号ＳＨ及び垂直同期信号ＳＶ、及び、Ｄ１信号ＤＶＰ１のワードクロック信号に同期した、周波数を２７ＭＨｚとするクロックパルス信号ＣＡも供給される。
【００４２】
そして、同期データ挿入部１２は、データ多重部１１からの、ワード伝送レートを５４ＭＢｐｓとする１６ビットワード列データＤＵ（１６）に対して、それにおける３チャンネルのＤ１信号ＤＶＰ１〜ＤＶＰ３のうちの一つ、例えば、Ｄ１信号ＤＶＰ１についての特定の位置に対応する部分に、ワードデータ送出部１３からの補助ワードデータＤＥＡ８もしくはワードデータ送出部１４からの補助ワードデータＤＥＢ８とワードデータ送出部１５からのワード同期データＤＥＫ８とを挿入する。この同期データ挿入部１２による１６ビットワード列データＤＵ（１６）への補助ワードデータＤＥＡ８もしくはＤＥＢ８とワード同期データＤＥＫ８との挿入は、水平同期信号ＳＨ及び垂直同期信号ＳＶとクロックパルス信号ＣＡとを用いたもとで、１６ビットワード列データＤＵ（１６）におけるＤ１信号ＤＶＰ１の各ラインブランキング期間内におけるタイミング基準コードデータＳＡＶの第１ワードを形成する１０ビットのうちの８ビットに対応する部分（ＳＡＶ第１ワード対応部分）を、ワードデータ送出部１３からの補助ワードデータＤＥＡ８もしくはワードデータ送出部１４からの補助ワードデータＤＥＢ８をもって置き換えるとともに、１６ビットワード列データＤＵ（１６）における、ＳＡＶ第１ワード対応部分の後となる、上述のタイミング基準コードデータＳＡＶの第２ワードを形成する１０ビットのうちの８ビットに対応する部分（ＳＡＶ第２ワード対応部分）を、ワードデータ送出部１５からのワード同期データＤＥＫ８をもって置き換えることにより行われる。
【００４３】
それにより、同期データ挿入部１２は、３チャンネルのＤ１信号ＤＶＰ１〜ＤＶＰ３と２ビット付加データＤＡＢ（２）との組合せに基づく、ワード伝送レートを５４ＭＢｐｓとし、補助ワードデータＤＥＡ８もしくはＤＥＢ８とワード同期データＤＥＫ８とが置換挿入された１６ビットワード列データＤＺ（１６）を形成する。
【００４４】
図３は、同期データ挿入部１２についての具体構成例を示す。この図３に示される例においては、データ多重部１１からの、ワード伝送レートを５４ＭＢｐｓとする１６ビットワード列データＤＵ（１６）が、データ置換部１６に供給される。データ置換部１６には、制御信号形成部１７からの制御信号ＣＳＡ及びＣＳＢも供給される。
【００４５】
制御信号形成部１７には、データ多重部１１からの１６ビットワード列データＤＵ（１６），Ｄ１信号ＤＶＰ１についての水平同期信号ＳＨ及び垂直同期信号ＳＶ、及び、周波数を２７ＭＨｚとするクロックパルス信号ＣＡが供給される。斯かるもとで、制御信号形成部１７は、水平同期信号ＳＨ，垂直同期信号ＳＶ及びクロックパルス信号ＣＡに応じて、Ｄ１信号ＤＶＰ１におけるラインブランキング期間中のタイミング基準コードデータＳＡＶの第１ワード及び第２ワードに夫々同期した制御信号ＣＳＡ及びＣＳＢを形成する。
【００４６】
さらに、制御信号形成部１７は、１６ビットワード列データＤＵ（１６）における、同期データ挿入部１２において補助ワードデータＤＥＡ８もしくはＤＥＢ８が置換挿入されることになるＳＡＶ第１ワード対応部分に先立つ直前の８ビットデータ、及び、ＳＡＶ第１ワード対応部分と同期データ挿入部１２においてワード同期データＤＥＫ８が置換挿入されることになるＳＡＶ第２ワード対応部分との間の３個の８ビットデータから、ＳＡＶ第２ワード対応部分の直前の８ビットデータが、８Ｂ／１０Ｂ変換後におけるＲＤを負（−）とするものとされることになる、補助ワードデータＤＥＡ８及びＤＥＢ８のうちのいずれかを選定する。
【００４７】
そして、制御信号形成部１７は、補助ワードデータＤＥＡ８が選定されるとき、即ち、１６ビットワード列データＤＵ（１６）におけるＳＡＶ第１ワード対応部分に対して補助ワードデータＤＥＡ８が置換挿入されることにより、１６ビットワード列データＤＵ（１６）におけるＳＡＶ第２ワード対応部分の直前の８ビットデータが、８Ｂ／１０Ｂ変換後におけるＲＤを負（−）とするものとされることになるとき、例えば、高レベルをとり、補助ワードデータＤＥＢ８が選定されるとき、即ち、１６ビットワード列データＤＵ（１６）におけるＳＡＶ第１ワード対応部分に対して補助ワードデータＤＥＢ８が置換挿入されることにより、１６ビットワード列データＤＵ（１６）におけるＳＡＶ第２ワード対応部分の直前の８ビットデータが、８Ｂ／１０Ｂ変換後におけるＲＤを負（−）とするものとされることになるとき、例えば、低レベルをとる制御信号ＣＳＣを形成する。
【００４８】
データ置換部１６に関連して、スイッチ１８が設けられている。スイッチ１８には、ワードデータ送出部１３からの補助ワードデータＤＥＡ８，ワードデータ送出部１４からの補助ワードデータＤＥＢ８、及び、制御信号形成部１７からの制御信号ＣＳＣが供給される。そして、スイッチ１８は、制御信号ＣＳＣが高レベルをとるとき、即ち、１６ビットワード列データＤＵ（１６）におけるＳＡＶ第１ワード対応部分に対して補助ワードデータＤＥＡ８が置換挿入されることにより、１６ビットワード列データＤＵ（１６）におけるＳＡＶ第２ワード対応部分の直前の８ビットデータが、８Ｂ／１０Ｂ変換後におけるＲＤを負（−）とするものとされることになるとき、ワードデータ送出部１３からの補助ワードデータＤＥＡ８を導出して、それをデータ置換部１６に供給し、また、制御信号ＣＳＣが低レベルをとるとき、即ち、１６ビットワード列データＤＵ（１６）におけるＳＡＶ第１ワード対応部分に対して補助ワードデータＤＥＢ８が置換挿入されることにより、１６ビットワード列データＤＵ（１６）におけるＳＡＶ第２ワード対応部分の直前の８ビットデータが、８Ｂ／１０Ｂ変換後におけるＲＤを負（−）とするものとされることになるとき、ワードデータ送出部１４からの補助ワードデータＤＥＢ８を導出して、それをデータ置換部１６に供給する。
【００４９】
データ置換部１６には、ワードデータ送出部１５からのワード同期データＤＥＫ８も供給される。そして、データ置換部１６は、Ｄ１信号ＤＶＰ１におけるラインブランキング期間中のタイミング基準コードデータＳＡＶの第１ワードに同期した制御信号ＣＳＡに応じて、１６ビットワード列データＤＵ（１６）におけるＳＡＶ第１ワード対応部分を、スイッチ１８からの補助ワードデータＤＥＡ８もしくはＤＥＢ８をもって置き換えるとともに、Ｄ１信号ＤＶＰ１におけるラインブランキング期間中のタイミング基準コードデータＳＡＶの第２ワードに同期した制御信号ＣＳＢに応じて、１６ビットワード列データＤＵ（１６）におけるＳＡＶ第２ワード対応部分を、ワードデータ送出部１５からのワード同期データＤＥＫ８をもって置き換える。
【００５０】
それにより、データ置換部１６においては、１６ビットワード列データＤＵ（１６）におけるＳＡＶ第１ワード対応部分に対して補助ワードデータＤＥＡ８が置換挿入されることにより、１６ビットワード列データＤＵ（１６）におけるＳＡＶ第２ワード対応部分の直前の８ビットデータが、８Ｂ／１０Ｂ変換後におけるＲＤを負（−）とするものとされることになるとき、１６ビットワード列データＤＵ（１６）が、それにおけるＳＡＶ第１ワード対応部分が補助ワードデータＤＥＡ８をもって置き換えられるとともに、それにおけるＳＡＶ第２ワード対応部分がワード同期データＤＥＫ８をもって置き換えられて、１６ビットワード列データＤＺ（１６）を形成するものとされ、また、１６ビットワード列データＤＵ（１６）におけるＳＡＶ第１ワード対応部分に対して補助ワードデータＤＥＢ８が置換挿入されることにより、１６ビットワード列データＤＵ（１６）におけるＳＡＶ第２ワード対応部分の直前の８ビットデータが、８Ｂ／１０Ｂ変換後におけるＲＤを負（−）とするものとされることになるとき、１６ビットワード列データＤＵ（１６）が、それにおけるＳＡＶ第１ワード対応部分が補助ワードデータＤＥＢ８をもって置き換えられるとともに、それにおけるＳＡＶ第２ワード対応部分がワード同期データＤＥＫ８をもって置き換えられて、１６ビットワード列データＤＺ（１６）を形成するものとされる。
【００５１】
ワードデータ送出部１３からの補助ワードデータＤＥＡ８は、予め選定されたコードを有する８ビットワードデータとされるが、その一例にあっては、“０１１１０１０１”とあらわせるものとされる。斯かる補助ワードデータＤＥＡ８は、図４に示される如く、８Ｂ／１０Ｂ変換により１０ビットワードデータに変換されるとＤ２１．３というコードネームで呼ばれるものとなる。Ｄ２１．３は、その直前に配されたワードデータによるＲＤであるＣＲＤが負（−）であるとき、ＲＤをニュートラルとする“１０１０１０１１００”とされ、その直前に配されたワードデータによるＲＤであるＣＲＤが正（＋）であるとき、ＲＤをニュートラルとする“１０１０１０００１１”とされる。
【００５２】
ワードデータ送出部１４からの補助ワードデータＤＥＢ８も、予め選定されたコードを有する８ビットワードデータとされるが、その一例にあっては、“１００１０１０１”とあらわせるものとされる。斯かる補助ワードデータＤＥＢ８は、図４に示される如く、８Ｂ／１０Ｂ変換により１０ビットワードデータに変換されるとＤ２１．４というコードネームで呼ばれるものとなる。Ｄ２１．４は、その直前に配されたワードデータによるＲＤであるＣＲＤが負（−）であるとき、ＲＤを正（＋）とする“１０１０１０１１０１”とされ、その直前に配されたワードデータによるＲＤであるＣＲＤが正（＋）であるとき、ＲＤを負（−）とする“１０１０１０００１０”とされる。
【００５３】
ワードデータ送出部１５からのワード同期データＤＥＫ８も、予め選定されたコードを有する８ビットワードデータとされるが、その一例にあっては、８Ｂ／１０Ｂ変換により１０ビットワードデータに変換されると前述のワードデータＤＳ１０となるものとされる。従って、斯かるワード同期データＤＥＫ８は、８Ｂ／１０Ｂ変換により１０ビットワードデータに変換されるとＫ２８．５というコードネームで呼ばれるものとなり、その直前に配されたワードデータによるＲＤであるＣＲＤが負（−）であるとき、ＲＤを正（＋）とする＋２８．５となり、また、その直前に配されたワードデータによるＲＤであるＣＲＤが正（＋）であるとき、ＲＤを負（−）とする−Ｋ２８．５となる。
【００５４】
１６ビットワード列データＤＵ（１６）に上述の補助ワードデータＤＥＡ８もしくはＤＥＢ８とワード同期データＤＥＫ８とが挿入されて形成される１６ビットワード列データＤＺ（１６）は、補助ワードデータＤＥＡ８もしくはＤＥＢ８とワード同期データＤＥＫ８とが挿入された部分が、図５に示される如くに、例えば、Ｄ１信号ＤＶＰ１を基準にしたもとで、ＳＡＶ第１ワード対応部分に置き換わった補助ワードデータＤＥＡ８もしくはＤＥＢ８と、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットと、から成る１６ビットワード；  Ｄ１信号ＤＶＰ２の１０ビットワードのうちの残り４ビット及びＤ１信号ＤＶＰ３の１０ビットワードのうちの４ビットと、Ｄ１信号ＤＶＰ３の１０ビットワードのうちの残り６ビット及び２ビット付加データＤＡＢ（２）の２ビットワードを形成する２ビットと、から成る１６ビットワード；ＳＡＶ第２ワード対応部分に置き換わったワード同期データＤＥＫ８と、Ｄ１信号ＤＶＰ１のタイミング基準コードデータＳＡＶの第２ワードを形成する１０ビットのうちの残り２ビット及びＤ１信号ＤＶＰ２の１０ビットワードのうちの６ビットと、から成る１６ビットワード；  Ｄ１信号ＤＶＰ２の１０ビットワードのうちの残り４ビット及びＤ１信号ＤＶＰ３の１０ビットワードのうちの４ビットと、Ｄ１信号ＤＶＰ３の１０ビットワードのうちの残り６ビット及び２ビット付加データＤＡＢ（２）の２ビットワードを形成する２ビットと、から成る１６ビットワード；  Ｄ１信号ＤＶＰ１におけるタイミング基準コードデータＳＡＶの第３ワードを形成する１０ビットのうちの８ビットと、Ｄ１信号ＤＶＰ１のタイミング基準コードデータＳＡＶの第３ワードを形成する１０ビットのうちの残り２ビット及びＤ１信号ＤＶＰ２の１０ビットワードのうちの６ビットと、から成る１６ビットワード；  ・・・・・  が、順次連なるものとされる。
【００５５】
上述の如くにして図３におけるデータ置換部１６において得られる、ワード伝送レートを５４ＭＢｐｓとする１６ビットワード列データＤＺ（１６）は、同期データ挿入部１２から送出されて、８Ｂ／１０Ｂ変換・２０ビットワード列データ形成部（複合ワード列データ形成手段）２３に供給される。８Ｂ／１０Ｂ変換・２０ビットワード列データ形成部２３においては、先ず、同期データ挿入部１２からの、補助ワードデータＤＥＡ８もしくはＤＥＢ８とワード同期データＤＥＫ８とが置換挿入された１６ビットワード列データＤＺ（１６）に、８Ｂ／１０Ｂ変換処理を施す。
【００５６】
斯かる８Ｂ／１０Ｂ変換処理は、１６ビットワード列データＤＺ（１６）に対し、その各ワードを形成する１６ビットを８ビットずつの２個のビットグループに分割することによって、８ビットずつの区分を行い、区分された８ビットの夫々を、予め用意された変換テーブルに従って、１０ビットのデータに順次変換していくことにより行う。
【００５７】
続いて、８Ｂ／１０Ｂ変換・２０ビットワード列データ形成部２３においては、８Ｂ／１０Ｂ変換処理により順次得られる１０ビットのデータを２個ずつ重畳して導出し、ワード伝送レートを５４ＭＢｐｓとする、８Ｂ／１０Ｂ変換後の補助ワードデータ及びワード同期データを含んだ複合２０ビットワード列データＤＺ（２０）を形成する。
【００５８】
この複合２０ビットワード列データＤＺ（２０）は、図６に示される如くに、例えば、Ｄ１信号ＤＶＰ１を基準にしたもとで、ＳＡＶ第１ワード対応部分に置き換わった補助ワードデータＤＥＡ８もしくはＤＥＢ８が、８Ｂ／１０Ｂ変換されて得られる１０ビットデータであるＤ２１．３もしくは２１．４と、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワード；  Ｄ１信号ＤＶＰ２の１０ビットワードのうちの残り４ビット及びＤ１信号ＤＶＰ３の１０ビットワードのうちの４ビットが、８Ｂ／１０Ｂ変換されて得られる１０ビットデータである“ＤＶＰ２の４ビット＋ＤＶＰ３の４ビットの１０Ｘ”と、Ｄ１信号ＤＶＰ３の１０ビットワードのうちの残り６ビット及び２ビット付加データＤＡＢ（２）の２ビットワードを形成する２ビットが、８Ｂ／１０Ｂ変換されて得られる１０ビットデータである“ＤＶＰ３の６ビット＋ＤＡＢ（２）の１０Ｘ”と、から成る２０ビットワード；  ＳＡＶ第２ワード対応部分に置き換わったＤＥＫ８が、８Ｂ／１０Ｂ変換されて得られる１０ビットデータであるＫ２８．５と、Ｄ１信号ＤＶＰ１のタイミング基準コードデータＳＡＶの第２ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワード；  Ｄ１信号ＤＶＰ２の１０ビットワードのうちの残り４ビット及びＤ１信号ＤＶＰ３の１０ビットワードのうちの４ビットが、８Ｂ／１０Ｂ変換されて得られる１０ビットデータである“ＤＶＰ２の４ビット＋ＤＶＰ３の４ビットの１０Ｘ”と、Ｄ１信号ＤＶＰ３の１０ビットワードのうちの残り６ビット及び２ビット付加データＤＡＢ（２）の２ビットワードを形成する２ビットが、８Ｂ／１０Ｂ変換されて得られる１０ビットデータである“ＤＶＰ３の６ビット＋ＤＡＢ（２）の１０Ｘ”と、から成る２０ビットワード；  Ｄ１信号ＤＶＰ１におけるタイミング基準コードデータＳＡＶの第３ワードを形成する１０ビットのうちの８ビットが、８Ｂ／１０Ｂ変換されて得られる１０ビットデータである“ＤＶＰ１の８ビットの１０Ｘ”と、Ｄ１信号ＤＶＰ１のタイミング基準コードデータＳＡＶの第３ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワード；  ・・・・・  が、順次連なるものとされる。
【００５９】
このような複合２０ビットワード列データＤＺ（２０）における図６に示されるＤ２１．３もしくはＤ２１．４をもって始まる５ワードのうちの始めの２ワードを、仮に、順次、第１ワード，第２ワードとする。
【００６０】
斯かるもとで、図２に示される１６ビットワード列データＤＵ（１６）及び図５に示される１６ビットワード列データＤＺ（１６）において、各々が１６ビットワードとされる連続する２ワードに６ビットと４ビットとに分けられて跨がることになる、Ｄ１信号ＤＶＰ２の１０ビットワードを“０１０１０１０１０１”と仮定し、１６ビットワード中の１０ビットを占めることになるＤ１信号ＤＶＰ３の１０ビットワードも“０１０１０１０１０１”と仮定し、さらに、２ビット付加データＤＡＢ（２）の２ビットワードを“１１”と仮定すると、図６に示される複合２０ビットワード列データＤＺ（２０）においては、第１ワードが、Ｄ２１．３もしくはＤ２１．４とＤ２１．６というコードネームで呼ばれる１０ビットワードとから成る２０ビットワードとされ、第２ワードが、Ｄ２１．２というコードネームで呼ばれる１０ビットワードとＤ２３．２というコードネームで呼ばれる１０ビットワードとから成る２０ビットワードとされる。
【００６１】
Ｄ２１．６及びＤ２１．２は、直前のワードデータによるＲＤであるＣＲＤを変化させずに伝えるワードデータであり、また、Ｄ２３．２は、直前のワードデータによるＲＤであるＣＲＤを反転させて伝えるワードデータである。
【００６２】
斯かるもとで、第１ワードに含まれるＤ２１．３もしくはＤ２１．４が、第２ワードを形成するＤ２３．２によるＲＤが負（−）となるように選定されており、この第２ワードを形成するＤ２３．２は、Ｋ２８．５の直前のワードデータである。従って、Ｋ２８．５は、直前のワードデータによるＲＤであるＣＲＤが、常時負（−）とされる状況におかれることになって、＋Ｋ２８．５（“００１１１１１０１０”）となる。
【００６３】
このようにして、８Ｂ／１０Ｂ変換・２０ビットワード列データ形成部２３において形成される複合２０ビットワード列データＤＺ（２０）は、８Ｂ／１０Ｂ変換後の補助ワードデータとしてＤ２１．３もしくはＤ２１．４を含むとともに、８Ｂ／１０Ｂ変換後のワード同期データとして＋Ｋ２８．５を含むものとされる。そして、斯かる複合２０ビットワード列データＤＺ（２０）が、８Ｂ／１０Ｂ変換・２０ビットワード列データ形成部２３から送出されてＰ／Ｓ変換部２４に供給される。
【００６４】
なお、上述の例にあっては、８Ｂ／１０Ｂ変換・２０ビットワード列データ形成部２３から得られる複合２０ビットワード列データＤＺ（２０）が、８Ｂ／１０Ｂ変換後のワード同期データとして＋Ｋ２８．５を含むものとなるようにされているが、場合によっては、複合２０ビットワード列データＤＺ（２０）が、８Ｂ／１０Ｂ変換後のワード同期データとして−Ｋ２８．５を含むものとなるようにされることもあり得る。
【００６５】
Ｐ／Ｓ変換部２４にあっては、複合２０ビットワード列データＤＺ（２０）にＰ／Ｓ変換を施して、ワード伝送レートを５４ＭＢｐｓとする複合２０ビットワード列データＤＺ（２０）に基づく、ビット伝送レートを５４ＭＢｐｓ×２０＝１．０８ＧｂｐｓとするシリアルデータＤＺＳを形成し、そのシリアルデータＤＺＳを送信部２５に供給する。送信部２５は、シリアルデータＤＺＳを、例えば、オプティカル・ファイバーが用いられて形成されたデータ伝送路を通じて伝送すべく、オプティカル・ファイバーが用いられて形成されたデータ伝送路に適した光信号ＳＺとして送出する。それによって、シリアルデータＤＺＳの伝送が行われる。
【００６６】
上述の如くの図１に示されるデータ伝送装置にあっては、Ｐ／Ｓ変換部２４及び送信部２５が、ワード伝送レートを５４ＭＢｐｓとする複合２０ビットワード列データＤＺ（２０）をビット伝送レートを１．０８ＧｂｐｓとするシリアルデータＤＺＳに変換して伝送すべく送出するデータ送出手段を構成する。そして、斯かるデータ送出手段を構成するＰ／Ｓ変換部２４及び送信部２５は、例えば、ファイバーチャンネル・システムのもとにおけるディジタルデータの送信用に提供されている集積回路（ＩＣ）素子を有効に利用して構成することができるものとされる。従って、伝送されるべきデータに基づいて、ワード同期データを含むとともに８Ｂ／１０Ｂ変換が施されたものとされるワード列データが形成され、そのワード列データがシリアルデータに変換されて伝送されるべく送出される伝送方式をもって、ビット同期はとられているが、水平同期及び垂直同期がとられていない３チャンネルのＤ１信号ＤＶＰ１〜ＤＶＰ３の夫々と２ビット付加データＤＡＢ（２）とを、比較的容易に整えることができる手段により多重伝送することができることになる。
【００６７】
図７は、本願の特許請求の範囲における請求項１から請求項３まで及び請求項６から請求項１０までのいずれかに記載された発明に係るデータ伝送方法の一例が実施される、本願の特許請求の範囲における請求項１１に記載された発明に係るデータ伝送装置の一例を示す。
【００６８】
図７に示される例にあっては、複数のディジタル映像信号である３チャンネルのＤ１信号ＤＶＰ１，ＤＶＰ２及びＤＶＰ３と、ビット付加信号である２ビット付加データＤＡＢ（２）が、データ多重部（データ多重手段）３１に供給される。３チャンネルのＤ１信号ＤＶＰ１〜ＤＶＰ３の夫々は、例えば、図１７に示される如くのデータ系列の態様をとる１０ビットワード列データを形成するディジタル信号であって、そのワード伝送レートを、例えば、２７ＭＢｐｓとするパラレルデータとされる。また、２ビット付加データＤＡＢ（２）は、２ビット構成のワードが連なる２ビットワード列データであって、そのワード伝送レートが、例えば、２７ＭＢｐｓに選定される。
【００６９】
３チャンネルのＤ１信号ＤＶＰ１〜ＤＶＰ３は、互いの間でビット同期はとられているが、水平同期及び垂直同期はとられていない状態でデータ多重部３１に供給され、また、２ビット付加データＤＡＢ（２）は、３チャンネルのＤ１信号ＤＶＰ１〜ＤＶＰ３の夫々とビット同期がとられた状態でデータ多重部３１に供給される。
【００７０】
データ多重部３１においては、３チャンネルのＤ１信号ＤＶＰ１〜ＤＶＰ３と２ビット付加データＤＡＢ（２）との組合せに多重化処理を施し、それにより、３チャンネルのＤ１信号ＤＶＰ１〜ＤＶＰ３と２ビット付加データＤＡＢ（２）との組合せに基づく１６ビットワード列データＤＵ（１６）を得る。斯かる際には、データ多重部３１に同時に供給される、３チャンネルのＤ１信号ＤＶＰ１〜ＤＶＰ３の夫々における各ワード（１０ビット）と２ビット付加データＤＡＢ（２）における各ワード（２ビット）との、合計１０×３＋２＝３２ビットが、順次１６ビットずつの２ワードに分割されることにより、ワード伝送レートを２７ＭＢｐｓ×３２／１６＝５４ＭＢｐｓとする１６ビットワード列データＤＵ（１６）が形成される。この１６ビットワード列データＤＵ（１６）も、図２に示される如くのものとされる。
【００７１】
データ多重部３１から得られる、ワード伝送レートを５４ＭＢｐｓとする１６ビットワード列データＤＵ（１６）は、同期データ挿入部（データ挿入手段）３２に供給される。同期データ挿入部３２には、１６ビットワード列データＤＵ（１６）に加えて、ワードデータ送出部３３からの、予め選定されたコードを有した８ビットワードデータを形成するワード同期データＤＥＫ８が供給され、また、Ｄ１信号ＤＶＰ１についての水平同期信号ＳＨ及び垂直同期信号ＳＶ、及び、Ｄ１信号ＤＶＰ１のワードクロック信号に同期した、周波数を２７ＭＨｚとするクロックパルス信号ＣＡも供給される。
【００７２】
そして、同期データ挿入部３２は、データ多重部３１からの、ワード伝送レートを５４ＭＢｐｓとする１６ビットワード列データＤＵ（１６）に対して、それにおける３チャンネルのＤ１信号ＤＶＰ１〜ＤＶＰ３のうちの一つ、例えば、Ｄ１信号ＤＶＰ１についての特定の位置に対応する部分に、ワードデータ送出部３３からのワード同期データＤＥＫ８を挿入する。この同期データ挿入部３２による１６ビットワード列データＤＵ（１６）へのワード同期データＤＥＫ８の挿入は、水平同期信号ＳＨ及び垂直同期信号ＳＶとクロックパルス信号ＣＡとを用いたもとで、１６ビットワード列データＤＵ（１６）におけるＤ１信号ＤＶＰ１の各ラインブランキング期間内におけるタイミング基準コードデータＳＡＶの第１ワードを形成する１０ビットのうちの８ビットに対応する部分（ＳＡＶ第１ワード対応部分）を、ワードデータ送出部３３からのワード同期データＤＥＫ８をもって置き換えることにより行われる。
【００７３】
それにより、同期データ挿入部３２は、３チャンネルのＤ１信号ＤＶＰ１〜ＤＶＰ３と２ビット付加データＤＡＢ（２）との組合せに基づく、ワード伝送レートを５４ＭＢｐｓとし、ワード同期データＤＥＫ８が置換挿入された１６ビットワード列データＤＺ（１６）を形成する。
【００７４】
図８は、同期データ挿入部３２についての具体構成例を示す。この図８に示される例においては、データ多重部３１からの、ワード伝送レートを５４ＭＢｐｓとする１６ビットワード列データＤＵ（１６）が、データ置換部３５に供給される。データ置換部３５には、ワードデータ送出部３３からのワード同期データＤＥＫ８も供給され、さらに、制御信号形成部３６からの制御信号ＣＳＫが供給される。
【００７５】
制御信号形成部３６には、Ｄ１信号ＤＶＰ１についての水平同期信号ＳＨ及び垂直同期信号ＳＶ、及び、周波数を２７ＭＨｚとするクロックパルス信号ＣＡが供給される。そして、制御信号形成部３６は、水平同期信号ＳＨ，垂直同期信号及びクロックパルス信号ＣＡに応じて、Ｄ１信号ＤＶＰ１におけるラインブランキング期間中のタイミング基準コードデータＳＡＶの第１ワードに同期した制御信号ＣＳＫを形成する。
【００７６】
データ置換部３５は、Ｄ１信号ＤＶＰ１におけるラインブランキング期間中のタイミング基準コードデータＳＡＶの第１ワードに同期した制御信号ＣＳＫに応じて、１６ビットワード列データＤＵ（１６）におけるＳＡＶ第１ワード対応部分を、ワードデータ送出部３３からのワード同期データＤＥＫ８をもって置き換える。それにより、データ置換部３５においては、１６ビットワード列データＤＵ（１６）が、それにおけるＳＡＶ第１ワード対応部分がワード同期データＤＥＫ８をもって置き換えられて、１６ビットワード列データＤＺ（１６）を形成するものとされる。
【００７７】
ワードデータ送出部３３からのワード同期データＤＥＫ８は、予め選定されたコードを有する８ビットワードデータとされるが、その一例にあっては、８Ｂ／１０Ｂ変換により１０ビットワードデータに変換されると前述のワードデータＤＳ１０となるものとされる。従って、斯かるワード同期データＤＥＫ８は、８Ｂ／１０Ｂ変換により１０ビットワードデータに変換されるとＫ２８．５というコードネームで呼ばれるものとなり、その直前に配されたワードデータによるＲＤであるＣＲＤが負（−）であるとき、ＲＤを正（＋）とする＋２８．５となり、また、その直前に配されたワードデータによるＲＤであるＣＲＤが正（＋）であるとき、ＲＤを負（−）とする−Ｋ２８．５となる。
【００７８】
１６ビットワード列データＤＵ（１６）に上述のワード同期データＤＥＫ８が挿入されて形成される１６ビットワード列データＤＺ（１６）は、ワード同期データＤＥＫ８が挿入された部分が、図９に示される如くに、例えば、Ｄ１信号ＤＶＰ１を基準にしたもとで、ＳＡＶ第１ワード対応部分に置き換わったワード同期データＤＥＫ８と、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットと、から成る１６ビットワード；  Ｄ１信号ＤＶＰ２の１０ビットワードのうちの残り４ビット及びＤ１信号ＤＶＰ３の１０ビットワードのうちの４ビットと、Ｄ１信号ＤＶＰ３の１０ビットワードのうちの残り６ビット及び２ビット付加データＤＡＢ（２）の２ビットワードを形成する２ビットと、から成る１６ビットワード；  Ｄ１信号ＤＶＰ１におけるタイミング基準コードデータＳＡＶの第２ワードを形成する１０ビットのうちの８ビットと、Ｄ１信号ＤＶＰ１のタイミング基準コードデータＳＡＶの第２ワードを形成する１０ビットのうちの残り２ビット及びＤ１信号ＤＶＰ２の１０ビットワードのうちの６ビットと、から成る１６ビットワード；  Ｄ１信号ＤＶＰ２の１０ビットワードのうちの残り４ビット及びＤ１信号ＤＶＰ３の１０ビットワードのうちの４ビットと、Ｄ１信号ＤＶＰ３の１０ビットワードのうちの残り６ビット及び２ビット付加データＤＡＢ（２）の２ビットワードを形成する２ビットと、から成る１６ビットワード；  Ｄ１信号ＤＶＰ１におけるタイミング基準コードデータＳＡＶの第３ワードを形成する１０ビットのうちの８ビットと、Ｄ１信号ＤＶＰ１のタイミング基準コードデータＳＡＶの第３ワードを形成する１０ビットのうちの残り２ビット及びＤ１信号ＤＶＰ２の１０ビットワードのうちの６ビットと、から成る１６ビットワード；  ・・・・・  が、順次連なるものとされる。
【００７９】
上述の如くにして図８におけるデータ置換部３５において得られる、ワード伝送レートを５４ＭＢｐｓとする１６ビットワード列データＤＺ（１６）は、同期データ挿入部３２から送出されて、８Ｂ／１０Ｂ変換・２０ビットワード列データ形成部（複合ワード列データ形成手段）４１に供給される。８Ｂ／１０Ｂ変換・２０ビットワード列データ形成部４１においては、先ず、同期データ挿入部３２からの、ワード同期データＤＥＫ８が置換挿入された１６ビットワード列データＤＺ（１６）に、８Ｂ／１０Ｂ変換処理を施す。斯かる８Ｂ／１０Ｂ変換処理は、１６ビットワード列データＤＺ（１６）に対し、その各ワードを形成する１６ビットを８ビットずつの２個のビットグループに分割することによって、８ビットずつの区分を行い、区分された８ビットの夫々を、予め用意された変換テーブルに従って、１０ビットのデータに順次変換していくことにより行う。
【００８０】
そして、斯かる８Ｂ／１０Ｂ変換処理にあたり、ワード同期データＤＥＫ８が８Ｂ／１０Ｂ変換により１０ビットワードデータに変換されて得られる８Ｂ／１０Ｂ変換後のワード同期データであるＫ２８．５の直前において、ＲＤを負（−）に設定する処理が行われる。その結果、８Ｂ／１０Ｂ変換後のワード同期データであるＫ２８．５は、具体的には、ＲＤを正（＋）とする＋Ｋ２８．５とされることになる。
【００８１】
続いて、８Ｂ／１０Ｂ変換・２０ビットワード列データ形成部４１においては、８Ｂ／１０Ｂ変換処理により順次得られる１０ビットのデータを２個ずつ重畳して導出し、ワード伝送レートを５４ＭＢｐｓとする、８Ｂ／１０Ｂ変換後のワード同期データ＋Ｋ２８．５を含んだ複合２０ビットワード列データＤＺ（２０）を形成する。
【００８２】
この複合２０ビットワード列データＤＺ（２０）は、図１０に示される如くに、例えば、Ｄ１信号ＤＶＰ１を基準にしたもとで、ＳＡＶ第１ワード対応部分に置き換わったワード同期データＤＥＫ８が、８Ｂ／１０Ｂ変換されて得られる１０ビットデータであって８Ｂ／１０Ｂ変換後のワード同期データである＋Ｋ２８．５と、Ｄ１信号ＤＶＰ１のタイミング基準コードデータＳＡＶの第１ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ“と、から成る２０ビットワード；  Ｄ１信号ＤＶＰ２の１０ビットワードのうちの残り４ビット及びＤ１信号ＤＶＰ３の１０ビットワードのうちの４ビットが、８Ｂ／１０Ｂ変換されて得られる１０ビットデータである“ＤＶＰ２の４ビット＋ＤＶＰ３の４ビットの１０Ｘ”と、Ｄ１信号ＤＶＰ３の１０ビットワードのうちの残り６ビット及び２ビット付加データＤＡＢ（２）の２ビットワードを形成する２ビットが、８Ｂ／１０Ｂ変換されて得られる１０ビットデータである“ＤＶＰ３の６ビット＋ＤＡＢ（２）の１０Ｘ”と、から成る２０ビットワード；  Ｄ１信号ＤＶＰ１におけるタイミング基準コードデータＳＡＶの第２ワードを形成する１０ビットのうちの８ビットが、８Ｂ／１０Ｂ変換されて得られる１０ビットデータである“ＤＶＰ１の８ビットの１０Ｘ”と、Ｄ１信号ＤＶＰ１のタイミング基準コードデータＳＡＶの第２ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワード；  Ｄ１信号ＤＶＰ２の１０ビットワードのうちの残り４ビット及びＤ１信号ＤＶＰ３の１０ビットワードのうちの４ビットが、８Ｂ／１０Ｂ変換されて得られる１０ビットデータである“ＤＶＰ２の４ビット＋ＤＶＰ３の４ビットの１０Ｘ”と、Ｄ１信号ＤＶＰ３の１０ビットワードのうちの残り６ビット及び２ビット付加データＤＡＢ（２）の２ビットワードを形成する２ビットが、８Ｂ／１０Ｂ変換されて得られる１０ビットデータである“ＤＶＰ３の６ビット＋ＤＡＢ（２）の１０Ｘ”と、から成る２０ビットワード；  Ｄ１信号ＤＶＰ１におけるタイミング基準コードデータＳＡＶの第３ワードを形成する１０ビットのうちの８ビットが、８Ｂ／１０Ｂ変換されて得られる１０ビットデータである“ＤＶＰ１の８ビットの１０Ｘ”と、Ｄ１信号ＤＶＰ１のタイミング基準コードデータＳＡＶの第３ワードを形成する１０ビットのうちの残り２ビット及びＤ１信号ＤＶＰ２の１０ビットワードのうちの６ビットが、８Ｂ／１０Ｂ変換されて得られる１０ビットデータである“ＤＶＰ１の２ビット＋ＤＶＰ２の６ビットの１０Ｘ”と、から成る２０ビットワード；  ・・・・・が、順次連なるものとされる。
【００８３】
このようにして、８Ｂ／１０Ｂ変換・２０ビットワード列データ形成部４１において形成される複合２０ビットワード列データＤＺ（２０）は、８Ｂ／１０Ｂ変換・２０ビットワード列データ形成部４１における８Ｂ／１０Ｂ変換処理にあたり、８Ｂ／１０Ｂ変換後のワード同期データの直前においてＲＤを負（−）に設定する処理が行われることにより、８Ｂ／１０Ｂ変換後のワード同期データとして＋Ｋ２８．５を含むものとされる。そして、斯かる複合２０ビットワード列データＤＺ（２０）が、８Ｂ／１０Ｂ変換・２０ビットワード列データ形成部４１から送出されてＰ／Ｓ変換部４２に供給される。
【００８４】
なお、上述の例にあっては、１６ビットワード列データＤＺ（１６）に対する８Ｂ／１０Ｂ変換処理にあたり、８Ｂ／１０Ｂ変換後のワード同期データの直前においてＲＤを負（−）に設定する処理が行われることにより、８Ｂ／１０Ｂ変換・２０ビットワード列データ形成部４１から得られる複合２０ビットワード列データＤＺ（２０）が、８Ｂ／１０Ｂ変換後のワード同期データとして＋Ｋ２８．５を含むものとなるようにされているが、場合によっては、１６ビットワード列データＤＺ（１６）に対する８Ｂ／１０Ｂ変換処理にあたり、８Ｂ／１０Ｂ変換後のワード同期データの直前においてＲＤを正（＋）に設定する処理が行われて、複合２０ビットワード列データＤＺ（２０）が、８Ｂ／１０Ｂ変換後のワード同期データとしてＲＤを負（−）とする−Ｋ２８．５を含むものとなるようにされることもあり得る。
【００８５】
Ｐ／Ｓ変換部４２にあっては、複合２０ビットワード列データＤＺ（２０）にＰ／Ｓ変換を施して、ワード伝送レートを５４ＭＢｐｓとする複合２０ビットワード列データＤＺ（２０）に基づく、ビット伝送レートを５４ＭＢｐｓ×２０＝１．０８ＧｂｐｓとするシリアルデータＤＺＳを形成し、そのシリアルデータＤＺＳを送信部４３に供給する。送信部４３は、シリアルデータＤＺＳを、例えば、オプティカル・ファイバーが用いられて形成されたデータ伝送路を通じて伝送すべく、オプティカル・ファイバーが用いられて形成されたデータ伝送路に適した光信号ＳＺとして送出する。それによって、シリアルデータＤＺＳの伝送が行われる。
【００８６】
上述の如くの図７に示されるデータ伝送装置にあっても、Ｐ／Ｓ変換部４２及び送信部４３が、ワード伝送レートを５４ＭＢｐｓとする複合２０ビットワード列データＤＺ（２０）をビット伝送レートを１．０８ＧｂｐｓとするシリアルデータＤＺＳに変換して伝送すべく送出するデータ送出手段を構成する。そして、斯かるデータ送出手段を構成するＰ／Ｓ変換部４２及び送信部４３は、例えば、ファイバーチャンネル・システムのもとにおけるディジタルデータの送信用に提供されている集積回路（ＩＣ）素子を有効に利用して構成することができるものとされる。従って、伝送されるべきデータに基づいて、ワード同期データを含むとともに８Ｂ／１０Ｂ変換が施されたものとされるワード列データが形成され、そのワード列データがシリアルデータに変換されて伝送されるべく送出される伝送方式をもって、ビット同期はとられているが、水平同期及び垂直同期がとられていない３チャンネルのＤ１信号ＤＶＰ１〜ＤＶＰ３の夫々と２ビット付加データＤＡＢ（２）とを、比較的容易に整えることができる手段により多重伝送することができることになる。
【００８７】
図１１は、本願の特許請求の範囲における請求項１及び請求項４から請求項１０までのいずれかに記載された発明に係るデータ伝送方法の一例に従って図１に示されるデータ伝送装置における送信部２５から送出される、複合２０ビットワード列データＤＺ（２０）が変換されて得られたシリアルデータＤＺＳに基づく光信号ＳＺを受信する、本願の特許請求の範囲における請求項１３に記載された発明に係るデータ受信方法の一例が実施される本願の特許請求の範囲における請求項１４に記載された発明に係るデータ受信装置の一例を示す。
【００８８】
この図１１に示されるデータ受信装置の例にあっては、例えば、オプティカル・ファイバーが用いられて形成されたデータ伝送路を通じて伝送された光信号ＳＺを受信する受信部４５が備えられている。受信部４５は、光信号ＳＺを受信するとき、受信された光信号ＳＺに基づくシリアルデータＤＺＳを再生し、再生されたシリアルデータＤＺＳを同期データ検出・Ｓ／Ｐ変換部４６に供給する。
【００８９】
同期データ検出・Ｓ／Ｐ変換部４６にあっては、シリアルデータＤＺＳにおける、Ｋ２８．５を含む２０ビットワードデータを形成する＋Ｋ２８．５（もしくは−Ｋ２８．５）がシリアルデータに変換された部分を、同期データとして検出し、検出された同期データに基づくワード同期をとって、シリアルデータＤＺＳにＳ／Ｐ変換を施し、図１２のＡに示される如くの、例えば、ワード伝送レートを５４ＭＢｐｓとするパラレルデータである、８Ｂ／１０Ｂ変換後のワード同期データとしての＋Ｋ２８．５（もしくは−Ｋ２８．５）を含んだ複合２０ビットワード列データＤＺ（２０）を形成する。そして、同期データ検出・Ｓ／Ｐ変換部４６から得られる複合２０ビットワード列データＤＺ（２０）は、１０Ｂ／８Ｂ変換・１６ビットワード列データ形成部４８に供給される。
【００９０】
また、同期データ検出・Ｓ／Ｐ変換部４６においては、複合２０ビットワード列データＤＺ（２０）における８Ｂ／１０Ｂ変換後のワード同期データである＋Ｋ２８．５（もしくは−Ｋ２８．５）を含んだ２０ビットワードデータを検出して、Ｋ２８．５検出出力信号ＳＷＳを送出する。このＫ２８．５検出出力信号ＳＷＳは、複合２０ビットワード列データＤＺ（２０）における＋Ｋ２８．５（もしくは−Ｋ２８．５）を含んだ２０ビットワードデータに応じて、例えば、図１２のＢに示される如くに得られる。このようにして、同期データ検出・Ｓ／Ｐ変換部４６から得られるＫ２８．５検出出力信号ＳＷＳは、制御信号形成部４７に供給される。制御信号形成部４７においては、Ｋ２８．５検出出力信号ＳＷＳに基づく同期制御信号ＣＷが形成される。
【００９１】
同期データ検出・Ｓ／Ｐ変換部４６からの複合２０ビットワード列データＤＺ（２０）が供給される１０Ｂ／８Ｂ変換・１６ビットワード列データ形成部４８には、制御信号形成部４７からの同期制御信号ＣＷも供給される。そして、１０Ｂ／８Ｂ変換・１６ビットワード列データ形成部４８においては、先ず、同期制御信号ＣＷによる同期制御が行われるもとで、複合２０ビットワード列データＤＺ（２０）に１０Ｂ／８Ｂ変換処理が施される。斯かる１０Ｂ／８Ｂ変換処理は、複合２０ビットワード列データＤＺ（２０）に対し、その各ワードを形成する２０ビットを１０ビットずつの２個のビットグループに分割することによって、１０ビットずつの区分を行い、区分された１０ビットの夫々を、予め用意された変換テーブルに従って、８ビットのデータに順次変換していくことにより行う。続いて、１０Ｂ／８Ｂ変換・１６ビットワード列データ形成部４８においては、１０Ｂ／８Ｂ変換処理により順次得られる８ビットのデータを２個ずつ重畳して導出し、ワード伝送レートを５４ＭＢｐｓとする、１６ビットワード列データＤＺ（１６）を形成する。
【００９２】
このようにして１０Ｂ／８Ｂ変換・１６ビットワード列データ形成部４８において得られる１６ビットワード列データＤＺ（１６）は、前述の図５に示される１６ビットワード列データＤＺ（１６）に相当するものとされる。
【００９３】
１０Ｂ／８Ｂ変換・１６ビットワード列データ形成部４８からの１６ビットワード列データＤＺ（１６）は、ワードデータ処理部４９に供給される。ワードデータ処理部４９には、制御信号形成部４７からの同期制御信号ＣＷも供給される。そして、ワードデータ処理部４９においては、同期制御信号ＣＷによる同期制御が行われるもとで、１６ビットワード列データＤＺ（１６）中の補助ワードデータＤＥＡ８もしくはＤＥＢ８を８ビットワード“１１１１１１１１”をもって置き換えるとともに、１６ビットワード列データＤＺ（１６）中のワード同期データＤＥＫ８を８ビットワード“００００００００”をもって置き換える処理が行われて、ワード伝送レートを５４ＭＢｐｓとする１６ビットワード列データＤＵ（１６）が得られる。
【００９４】
ワードデータ処理部４９から得られる１６ビットワード列データＤＵ（１６）は、データ分離部５０に供給される。データ分離部５０においては、ワード伝送レートを５４ＭＢｐｓとする１６ビットワード列データＤＵ（１６) の連続する２ワードを形成する３２ビットが、３グループの１０ビットと２ビットとに区分けされ、区分けされた３グループの１０ビットと２ビットとの夫々が個別に導出される状態が継続される。その結果、１６ビットワード列データＤＵ（１６) に基づく、各々がワード伝送レートを５４ＭＢｐｓ／２＝２７ＭＢｐｓとする１０ビットワード列データを形成する３チャンネルのパラレルデータと、ワード伝送レートを５４ＭＢｐｓ／２＝２７ＭＢｐｓとする２ビットワード列データとされる、３チャンネルのＤ１信号ＤＶＰ１，ＤＶＰ２及びＤＶＰ３と２ビット付加データＤＡＢ（２）とが、互いに分離されて形成される。それにより、データ分離部５０から、再生された３チャンネルのＤ１信号ＤＶＰ１，ＤＶＰ２及びＤＶＰ３と２ビット付加データＤＡＢ（２）とが導出される。
【００９５】
このようにして、各々がワード伝送レートを２７ＭＢｐｓとする３チャンネルのＤ１信号ＤＶＰ１〜ＤＶＰ３と２ビット付加データＤＡＢ（２）との夫々が再生されることになる。
【００９６】
図１３は、本願の特許請求の範囲における請求項１から請求項３まで及び請求項６から請求項１０までのいずれかに記載された発明に係るデータ伝送方法の他の例に従って図７に示されるデータ伝送装置における送信部４３から送出される、複合２０ビットワード列データＤＺ（２０）が変換されて得られたシリアルデータＤＺＳに基づく光信号ＳＺを受信する、本願の特許請求の範囲における請求項１３に記載された発明に係るデータ受信方法の他の例が実施される本願の特許請求の範囲における請求項１４に記載された発明に係るデータ受信装置の他の例を示す。
【００９７】
この図１３に示されるデータ受信装置の例にあっては、例えば、オプティカル・ファイバーが用いられて形成されたデータ伝送路を通じて伝送された光信号ＳＺを受信する受信部５１が備えられている。受信部５１は、光信号ＳＺを受信するとき、受信された光信号ＳＺに基づくシリアルデータＤＺＳを再生し、再生されたシリアルデータＤＺＳを同期データ検出・Ｓ／Ｐ変換部５２に供給する。
【００９８】
同期データ検出・Ｓ／Ｐ変換部５２にあっては、シリアルデータＤＺＳにおける、Ｋ２８．５を含む２０ビットワードデータを形成する＋Ｋ２８．５（もしくは−Ｋ２８．５）がシリアルデータに変換された部分を、同期データとして検出し、検出された同期データに基づくワード同期をとって、シリアルデータＤＺＳにＳ／Ｐ変換を施し、図１４のＡに示される如くの、例えば、ワード伝送レートを５４ＭＢｐｓとするパラレルデータである、８Ｂ／１０Ｂ変換後のワード同期データとしての＋Ｋ２８．５（もしくは−Ｋ２８．５）を含んだ複合２０ビットワード列データＤＺ（２０）を形成する。そして、同期データ検出・Ｓ／Ｐ変換部５２から得られる複合２０ビットワード列データＤＺ（２０）は、１０Ｂ／８Ｂ変換・１６ビットワード列データ形成部５４に供給される。
【００９９】
また、同期データ検出・Ｓ／Ｐ変換部５２においては、複合２０ビットワード列データＤＺ（２０）における８Ｂ／１０Ｂ変換後のワード同期データである＋Ｋ２８．５（もしくは−Ｋ２８．５）を含んだ２０ビットワードデータを検出して、Ｋ２８．５検出出力信号ＳＷＳを送出する。このＫ２８．５検出出力信号ＳＷＳは、複合２０ビットワード列データＤＺ（２０）における＋Ｋ２８．５（もしくは−Ｋ２８．５）を含んだ２０ビットワードデータに応じて、例えば、図１４のＢに示される如くに得られる。このようにして、同期データ検出・Ｓ／Ｐ変換部５２から得られるＫ２８．５検出出力信号ＳＷＳは、制御信号形成部５３に供給される。制御信号形成部５３においては、Ｋ２８．５検出出力信号ＳＷＳに基づく同期制御信号ＣＷが形成される。
【０１００】
同期データ検出・Ｓ／Ｐ変換部５２からの複合２０ビットワード列データＤＺ（２０）が供給される１０Ｂ／８Ｂ変換・１６ビットワード列データ形成部５４には、制御信号形成部５３からの同期制御信号ＣＷも供給される。そして、１０Ｂ／８Ｂ変換・１６ビットワード列データ形成部５４においては、先ず、同期制御信号ＣＷによる同期制御が行われるもとで、複合２０ビットワード列データＤＺ（２０）に１０Ｂ／８Ｂ変換処理が施される。斯かる１０Ｂ／８Ｂ変換処理は、複合２０ビットワード列データＤＺ（２０）に対し、その各ワードを形成する２０ビットを１０ビットずつの２個のビットグループに分割することによって、１０ビットずつの区分を行い、区分された１０ビットの夫々を、予め用意された変換テーブルに従って、８ビットのデータに順次変換していくことにより行う。続いて、１０Ｂ／８Ｂ変換・１６ビットワード列データ形成部５４においては、１０Ｂ／８Ｂ変換処理により順次得られる８ビットのデータを２個ずつ重畳して導出し、ワード伝送レートを５４ＭＢｐｓとする、１６ビットワード列データＤＺ（１６）を形成する。
【０１０１】
このようにして１０Ｂ／８Ｂ変換・１６ビットワード列データ形成部５４において得られる１６ビットワード列データＤＺ（１６）は、前述の図９に示される１６ビットワード列データＤＺ（１６）に相当するものとされる。
【０１０２】
１０Ｂ／８Ｂ変換・１６ビットワード列データ形成部５４からの１６ビットワード列データＤＺ（１６）は、ワードデータ処理部５５に供給される。ワードデータ処理部５５には、制御信号形成部５３からの同期制御信号ＣＷも供給される。そして、ワードデータ処理部５５においては、同期制御信号ＣＷによる同期制御が行われるもとで、１６ビットワード列データＤＺ（１６）中のワード同期データＤＥＫ８を８ビットワード“１１１１１１１１”によって置き換える処理が行われ、ワードデータ分離部５４から、ワード伝送レートを５４ＭＢｐｓとする１６ビットワード列データＤＵ（１６）が導出される。
【０１０３】
ワードデータ処理部５５から得られる１６ビットワード列データＤＵ（１６）は、データ分離部５６に供給される。データ分離部５６においては、ワード伝送レートを５４ＭＢｐｓとする１６ビットワード列データＤＵ（１６) の連続する２ワードを形成する３２ビットが、３グループの１０ビットと２ビットとに区分けされ、区分けされた３グループの１０ビットと２ビットとの夫々が個別に導出される状態が継続される。その結果、１６ビットワード列データＤＵ（１６) に基づく、各々がワード伝送レートを５４ＭＢｐｓ／２＝２７ＭＢｐｓとする１０ビットワード列データを形成する３チャンネルのパラレルデータと、ワード伝送レートを５４ＭＢｐｓ／２＝２７ＭＢｐｓとする２ビットワード列データとされる、３チャンネルのＤ１信号ＤＶＰ１，ＤＶＰ２及びＤＶＰ３と２ビット付加データＤＡＢ（２）とが、互いに分離されて形成される。それにより、データ分離部５６から、再生された３チャンネルのＤ１信号ＤＶＰ１，ＤＶＰ２及びＤＶＰ３と２ビット付加データＤＡＢ（２）とが導出される。
【０１０４】
このようにして、各々がワード伝送レートを２７ＭＢｐｓとする３チャンネルのＤ１信号ＤＶＰ１〜ＤＶＰ３と２ビット付加データＤＡＢ（２）との夫々が再生されることになる。
【０１０５】
上述の本願の特許請求の範囲における請求項１及び請求項４から請求項１０までのいずれかに記載された発明に係るデータ伝送方法の一例、もしくは、本願の特許請求の範囲における請求項１から請求項３まで及び請求項６から請求項１０までのいずれかに記載された発明に係るデータ伝送方法の一例にあっては、図１に示される、本願の特許請求の範囲における請求項１１及び請求項１２のいずれかに記載されたデータ伝送装置の一例におけるデータ多重部１１、もしくは、図７に示される、本願の特許請求の範囲における請求項１１に記載されたデータ伝送装置の一例におけるデータ多重部３１に供給されるディジタル映像信号、即ち、伝送されるべきディジタル映像信号が、ビット同期がとられているが、水平同期及び垂直同期はとられていない３チャンネルのＤ１信号とされ、しかも、２ビット付加データＤＡＢ（２）と組み合わされるものとなされている。しかしながら、本願の特許請求の範囲における請求項１から請求項１０までのいずれかに記載された発明に係るデータ伝送方法、及び、本願の特許請求の範囲における請求項１１及び請求項１２のいずれかに記載された発明に係るデータ伝送装置にあっては、伝送されるべきディジタル映像信号は、Ｄ１信号に限られる必要はなく、例えば、Ｄ２信号あるいはＳＤＴＩ信号等のＤ１信号以外のディジタル映像信号であってよく、また、２ビット付加データＤＡＢ（２）等のビット付加信号との組合せは、必ずしも必要とはされない。さらに、伝送されるべきディジタル映像信号のチャンネル数も、３チャンネルに限られる必要はなく、任意のチャンネル数となすことができる。
【０１０６】
【発明の効果】
以上の説明から明らかな如く、本願の特許請求の範囲における請求項１から請求項１０までのいずれかに記載された発明に係るデータ伝送方法、及び、本願の特許請求の範囲における請求項１３に記載された発明に係るデータ受信方法によれば、送信側において、ビット同期はとられているが水平同期及び垂直同期はとられていない、各々が、例えば、Ｄ１信号，Ｄ２信号，ＳＤＴＩ信号等とされる複数のディジタル映像信号、もしくは、斯かる複数のディジタル映像信号とビット付加信号との組合せに基づき、ワード同期データ挿入処理及び８Ｂ／１０Ｂ変換処理を経て形成され、シリアルデータに変換されて送出される複合ワード列データには、それにおける複数のディジタル映像信号のうちの一つについての特定の位置に対応する部分に、８Ｂ／１０Ｂ変換後のワード同期データが挿入されていることになる。
【０１０７】
そして、複合ワード列データが変換されたシリアルデータを受ける受信側において、シリアルデータに変換されて伝送された複合ワード列データ中の８Ｂ／１０Ｂ変換後のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれる各ワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１３に記載された発明に係るデータ受信方法にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【０１０８】
特に、本願の特許請求の範囲における請求項１から請求項１０までのいずれかに記載された発明に係るデータ伝送方法によれば、８Ｂ／１０Ｂ変換後のワード同期データを含む複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタルデータの送信及び受信に用いられる伝送回路ディバイスを利用して行うことができる。従って、伝送されるべきデータに基づいて、ワード同期データを含むとともに８Ｂ／１０Ｂ変換処理が施されたものとされるワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、比較的容易に整えることができる手段により伝送することができる、例えば、複数のＤ１信号，Ｄ２信号，ＳＤＴＩ信号等とされる、複数のディジタル映像信号を、比較的容易に整えることができる手段により伝送することができることになる。
【０１０９】
また、本願の特許請求の範囲における請求項１１及び請求項１２のいずれかに記載された発明に係るデータ伝送装置、及び、本願の特許請求の範囲における請求項１４に記載された発明に係るデータ受信装置によれば、送信側においては、データ送出手段によりシリアルデータに変換されて送出される、ビット同期はとられているが水平同期及び垂直同期はとられていない、各々が、例えば、複数のＤ１信号，Ｄ２信号，ＳＤＴＩ信号等とされる複数のディジタル映像信号、もしくは、斯かる複数のディジタル映像信号とビット付加信号との組合せに基づき、ワード同期データ挿入処理及び８Ｂ／１０Ｂ変換処理を経て形成される複合ワード列データには、ＲＤを予め定められた正もしくは負とする８Ｂ／１０Ｂ変換後のワード同期データが含まれていることになる。
【０１１０】
そして、複合ワード列データが変換されたシリアルデータを受ける受信側において、シリアルデータに変換されて伝送された複合ワード列データ中の８Ｂ／１０Ｂ変換後のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれる各ワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１４に記載された発明に係るデータ受信装置にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【０１１１】
特に、本願の特許請求の範囲における請求項１１及び請求項１２のいずれかに記載された発明に係るデータ伝送装置によれば、８Ｂ／１０Ｂ変換後のワード同期データを含んだ複合ワード列データのシリアルデータへの変換，変換されたシリアルデータの送信、さらには、受信側における、シリアルデータの受信，受信されたシリアルデータの複合ワード列データへの変換等を、例えば、ファイバーチャンネル・システムのもとにおけるディジタルデータの送信及び受信に用いられる伝送回路ディバイスを利用して行うことができる。従って、伝送されるべきデータに基づいて、ワード同期データを含むとともに８Ｂ／１０Ｂ変換処理が施されたものとされるワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、比較的容易に整えることができる手段により伝送することができることになる。
【図面の簡単な説明】
【図１】  本願の特許請求の範囲における請求項１及び請求項４から請求項１０までのいずれかに記載された発明に係るデータ伝送方法の一例が実施される、本願の特許請求の範囲における請求項１１及び請求項１２のいずれかに記載された発明に係るデータ伝送装置の一例を示すブロック構成図である。
【図２】  本願の特許請求の範囲における請求項１及び請求項４から請求項１０までのいずれかに記載された発明に係るデータ伝送方法の一例の説明に供されるタイムチャートである。
【図３】  図１に示されるデータ伝送装置における同期データ挿入部の具体構成例を示すブロック構成図である。
【図４】  本願の特許請求の範囲における請求項１及び請求項４から請求項１０までのいずれかに記載された発明に係るデータ伝送方法の一例において用いられる補助ワードデータの説明に供される概念図である。
【図５】  本願の特許請求の範囲における請求項１及び請求項４から請求項１０までのいずれかに記載された発明に係るデータ伝送方法の一例の説明に供されるタイムチャートである。
【図６】  本願の特許請求の範囲における請求項１及び請求項４から請求項１０までのいずれかに記載された発明に係るデータ伝送方法の一例の説明に供されるタイムチャートである。
【図７】  本願の特許請求の範囲における請求項１から請求項３まで及び請求項６から請求項１０までのいずれかに記載された発明に係るデータ伝送方法の一例が実施される、本願の特許請求の範囲における請求項１１に記載された発明に係るデータ伝送装置の一例を示すブロック構成図である。
【図８】  図７に示されるデータ伝送装置における同期データ挿入部の具体構成例を示すブロック構成図である。
【図９】  本願の特許請求の範囲における請求項１から請求項３まで及び請求項６から請求項１０までのいずれかに記載された発明に係るデータ伝送方法の一例の説明に供されるタイムチャートである。
【図１０】  本願の特許請求の範囲における請求項１から請求項３まで及び請求項６から請求項１０までのいずれかに記載された発明に係るデータ伝送方法の一例の説明に供されるタイムチャートである。
【図１１】  本願の特許請求の範囲における請求項１及び請求項４から請求項１０までのいずれかに記載された発明に係るデータ伝送方法の一例に従って送出される光信号を受信する、本願の特許請求の範囲における請求項１３に記載された発明に係るデータ受信方法の一例が実施される本願の特許請求の範囲における請求項１４に記載された発明に係るデータ受信装置の一例を示すブロック構成図である。
【図１２】  図１１に示されるデータ受信装置の動作説明に供されるタイムチャートである。
【図１３】  本願の特許請求の範囲における請求項１から請求項３まで及び請求項６から請求項１０までのいずれかに記載された発明に係るデータ伝送方法の一例に従って送出される光信号を受信する、本願の特許請求の範囲における請求項１３に記載された発明に係るデータ受信方法の他の例が実施される本願の特許請求の範囲における請求項１４に記載された発明に係るデータ受信装置の他の例を示すブロック構成図である。
【図１４】  図１３に示されるデータ受信装置の動作説明に供されるタイムチャートである。
【図１５】  ディジタルデータの伝送にあたって用いられる“フレーム”の説明に供される概念図である。
【図１６】  ディジタルデータの伝送にあたって用いられるワード同期データの説明に供される概念図である。
【図１７】  ディジタル映像信号のデータフォーマットの一例の説明に供される概念図である。
【符号の説明】
１１，３１・・・データ多重部，  １２，３２・・・同期データ挿入部，  １３，１４，１５，３３・・・ワードデータ送出部，  １６，３５・・・データ置換部，  １７，３６・・・制御信号形成部，  １８・・・スイッチ，  ２３，４１・・・８Ｂ／１０Ｂ変換・２０ビットワード列データ形成部，  ２４，４２・・・Ｐ／Ｓ変換部，  ２５，４３・・・送信部，  ４５，５１・・・受信部，  ４６，５２・・・同期データ検出・Ｓ／Ｐ変換部，  ４７，５３・・・制御信号形成部，  ４８，５４・・・１０／８Ｂ変換・１０ビットワード列データ形成部，  ４９，５５・・・ワードデータ処理部，  ５０，５６・・・データ分離部
【図１】
0004306096.tif 000002
【図２】
0004306096.tif 000003
【図３】
0004306096.tif 000004
【図４】
0004306096.tif 000005
【図５】
0004306096.tif 000006
【図６】
0004306096.tif 000007
【図７】
0004306096.tif 000008
【図８】
0004306096.tif 000009
【図９】
0004306096.tif 000010
【図１０】
0004306096.tif 000011
【図１１】
0004306096.tif 000012
【図１２】
0004306096.tif 000013
【図１３】
0004306096.tif 000014
【図１４】
0004306096.tif 000015
【図１５】
0004306096.tif 000016
【図１６】
0004306096.tif 000017
【図１７】
0004306096.tif 000018